【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
レンズが沈胴位置から撮影位置へ移動可能な沈胴式のレンズ鏡筒と、電力を供給する電源と、前記電源の電圧レベルを監視する電源電圧監視手段とを有し、
前記電源電圧監視手段による監視の結果、第１の電圧レベルのときには前記レンズを沈胴位置に移動させてから電源を切断し、前記第１の電圧レベルより小さい第２の電圧レベルのときには、前記レンズを沈胴位置に移動させずに電源を切断するとともに、当該レンズが沈胴位置にない場合には、再度の電源投入があった際に前記レンズを沈胴位置に戻すように駆動するレンズ鏡筒駆動手段を有することを特徴とする撮影装置。
【請求項２】
前記電源の電圧レベルが所定値以下になったことを示す緊急処理実行フラグを記憶する緊急処理実行フラグ記憶手段をさらに有し、
前記レンズ鏡筒駆動手段は、前記レンズを撮影位置へ移動させようとする際に、前記緊急処理実行フラグ記憶手段の状態を確認し、前記緊急処理実行フラグ記憶手段の状態が、前記電源の電圧レベルが所定値以下になったことを示している場合には、前記レンズを沈胴位置に戻すように駆動することを特徴とする請求項１に記載の撮影装置。
【請求項３】
前記緊急処理実行フラグ記憶手段の状態を初期化するフラグ初期化手段をさらに有し、
前記緊急処理実行フラグ記憶手段の状態が、前記電源の電圧レベルが所定値以下になったことを示している場合に、前記レンズ鏡筒駆動手段により前記レンズ鏡筒を沈胴位置に戻す駆動を行った際に、前記フラグ初期化手段により前記緊急処理実行フラグ記憶手段の状態を初期化することを特徴とする請求項２に記載の撮影装置。
【請求項４】
前記レンズ鏡筒で結像した画像を電気信号に変換するための撮像手段と、前記撮像手段の出力画像信号を輝度信号と色信号に処理する信号処理手段とを有し、
前記レンズ鏡筒を繰り出す際には、前記撮像手段と前記信号処理手段の両方の電源を通電し、前記レンズ鏡筒を沈胴する際には前記撮像手段と前記信号処理手段の電源の少なくとも片方、もしくは両方を切電するように制御する制御手段を有することを特徴とする請求項１〜３の何れか１項に記載の撮影装置。
【請求項５】
レンズが沈胴位置から撮影位置へ移動可能な沈胴式のレンズ鏡筒と、電力を供給する電源と、前記電源の電圧レベルを監視する電源電圧監視手段とを有する撮影装置における撮影動作制御方法であって、
前記電源電圧監視手段による監視の結果、第１の電圧レベルのときには前記レンズを沈胴位置に移動させてから電源を切断し、前記第１の電圧レベルより小さい第２の電圧レベルのときには、前記レンズを沈胴位置に移動させずに電源を切断するとともに、当該レンズ鏡筒が沈胴位置にない場合には、再度の電源投入があった際に前記レンズを沈胴位置に戻すように駆動するレンズ鏡筒駆動工程を有することを特徴とする撮影動作制御方法。
【請求項６】
レンズが沈胴位置から撮影位置へ移動可能な沈胴式のレンズ鏡筒と、電力を供給する電源と、前記電源の電圧レベルを監視する電源電圧監視手段とを有する撮影装置における撮影動作制御する工程をコンピュータに実行させるプログラムであって、
前記電源電圧監視手段による監視の結果、第１の電圧レベルのときには前記レンズを沈胴位置に移動させてから電源を切断し、前記第１の電圧レベルより小さい第２の電圧レベルのときには、前記レンズを沈胴位置に移動させずに電源を切断するとともに、当該レンズ鏡筒が沈胴位置にない場合には、再度の電源投入があった際に前記レンズを沈胴位置に戻すように駆動するレンズ鏡筒駆動工程をコンピュータに実行させることを特徴とするコンピュータプログラム。
【請求項７】
請求項６に記載のコンピュータプログラムを記録したことを特徴とするコンピュータ読み取り可能な記録媒体。
【手続補正２】
【補正対象書類名】明細書
【補正対象項目名】００１６
【補正方法】変更
【補正の内容】
【００１６】
本発明の撮影装置は、レンズが沈胴位置から撮影位置へ移動可能な沈胴式のレンズ鏡筒と、電力を供給する電源と、前記電源の電圧レベルを監視する電源電圧監視手段とを有し、前記電源電圧監視手段による監視の結果、第１の電圧レベルのときには前記レンズを沈胴位置に移動させてから電源を切断し、前記第１の電圧レベルより小さい第２の電圧レベルのときには、前記レンズを沈胴位置に移動させずに電源を切断するとともに、当該レンズが沈胴位置にない場合には、再度の電源投入があった際に前記レンズを沈胴位置に戻すように駆動するレンズ鏡筒駆動手段を有することを特徴とする。
また、本発明の撮影装置の他の特徴とするところは、前記電源の電圧レベルが所定値以下になったことを示す緊急処理実行フラグを記憶する緊急処理実行フラグ記憶手段をさらに有し、前記レンズ鏡筒駆動手段は、前記レンズを撮影位置へ移動させようとする際に、前記緊急処理実行フラグ記憶手段の状態を確認し、前記緊急処理実行フラグ記憶手段の状態が、前記電源の電圧レベルが所定値以下になったことを示している場合には、前記レンズを沈胴位置に戻すように駆動することを特徴とする。
また、本発明の撮影装置のその他の特徴とするところは、前記緊急処理実行フラグ記憶手段の状態を初期化するフラグ初期化手段をさらに有し、前記緊急処理実行フラグ記憶手段の状態が、前記電源の電圧レベルが所定値以下になったことを示している場合に、前記レンズ鏡筒駆動手段により前記レンズ鏡筒を沈胴位置に戻す駆動を行った際に、前記フラグ初期化手段により前記緊急処理実行フラグ記憶手段の状態を初期化することを特徴とする。
また、本発明の撮影装置のその他の特徴とするところは、前記レンズ鏡筒で結像した画像を電気信号に変換するための撮像手段と、前記撮像手段の出力画像信号を輝度信号と色信号に処理する信号処理手段とを有し、前記レンズ鏡筒を繰り出す際には、前記撮像手段と前記信号処理手段の両方の電源を通電し、前記レンズ鏡筒を沈胴する際には前記撮像手段と前記信号処理手段の電源の少なくとも片方、もしくは両方を切電するように制御する制御手段を有することを特徴とする。
【手続補正３】
【補正対象書類名】明細書
【補正対象項目名】００１７
【補正方法】変更
【補正の内容】
【００１７】
本発明の撮影動作制御方法は、レンズが沈胴位置から撮影位置へ移動可能な沈胴式のレンズ鏡筒と、電力を供給する電源と、前記電源の電圧レベルを監視する電源電圧監視手段とを有する撮影装置における撮影動作制御方法であって、前記電源電圧監視手段による監視の結果、第１の電圧レベルのときには前記レンズを沈胴位置に移動させてから電源を切断し、前記第１の電圧レベルより小さい第２の電圧レベルのときには、前記レンズを沈胴位置に移動させずに電源を切断するとともに、当該レンズ鏡筒が沈胴位置にない場合には、再度の電源投入があった際に前記レンズを沈胴位置に戻すように駆動するレンズ鏡筒駆動工程を有することを特徴とする。
【手続補正４】
【補正対象書類名】明細書
【補正対象項目名】００１８
【補正方法】変更
【補正の内容】
【００１８】
本発明のコンピュータプログラムは、レンズが沈胴位置から撮影位置へ移動可能な沈胴式のレンズ鏡筒と、電力を供給する電源と、前記電源の電圧レベルを監視する電源電圧監視手段とを有する撮影装置における撮影動作制御する工程をコンピュータに実行させるプログラムであって、前記電源電圧監視手段による監視の結果、第１の電圧レベルのときには前記レンズを沈胴位置に移動させてから電源を切断し、前記第１の電圧レベルより小さい第２の電圧レベルのときには、前記レンズを沈胴位置に移動させずに電源を切断するとともに、当該レンズ鏡筒が沈胴位置にない場合には、再度の電源投入があった際に前記レンズを沈胴位置に戻すように駆動するレンズ鏡筒駆動工程をコンピュータに実行させることを特徴とする。